(57)【特許請求の範囲】
【請求項１】
対象となるディジタルデータから、互いに干渉しないディジタルデータの部分集合を取り出すステップと、前記ディジタルデータの部分集合の少なくとも一つの部分集合に、所定の情報の付加を行うステップとからなる情報付加方法を用いて所定の情報が付加されたディジタルデータと、前記所定の情報が付加される前のディジタルデータとをデータ部分集合ごとに比較するステップと、
前記ステップによって比較したデータ部分集合に相違がない、あるいは相違が軽微であるデータ部分集合に所定の情報を付加するステップと、
からなる情報付加方法。
【請求項２】
対象となるディジタルデータから、互いに干渉しないディジタルデータの部分集合を取り出すステップと、前記ディジタルデータの部分集合の少なくとも一つの部分集合に、所定の情報の付加を行うステップとからなる情報付加方法を用いて所定の情報が付加されたディジタルデータと、前記所定の情報が付加される前のディジタルデータとをデータ部分集合ごとに比較するステップと、
前記ステップによって比較したデータ部分集合に相違がないデータ部分集合に所定の情報を付加するステップと、
からなる情報付加方法。
【請求項３】
所定の情報を対象となるディジタルデータに付加する場合に、対象となるディジタルデータから、互いに干渉しないディジタルデータのデータの部分集合を取り出す手段と、これらデータの部分集合ごとに情報の付加を行う手段とからなる情報付加装置を用いて、情報が付加されたディジタルデータと情報が付加される前のディジタルデータとをデータ部分集合ごとに比較する比較手段と、
前記比較手段によって比較したデータ部分集合に相違がない、あるいは相違が軽微であるデータ部分集合に所定の情報を付加する手段と、
からなる情報付加装置。
【請求項４】
所定の情報を対象となるディジタルデータに付加する場合に、対象となるディジタルデータから、互いに干渉しないディジタルデータのデータの部分集合を取り出す手段と、これらデータの部分集合ごとに情報の付加を行う手段とからなる情報付加装置を用いて、情報が付加されたディジタルデータと情報が付加される前のディジタルデータとをデータ部分集合ごとに比較する比較手段と、
前記比較手段によって比較したデータ部分集合に相違がないデータ部分集合に所定の情報を付加する手段と、
からなる情報付加装置。
【請求項５】
請求項１又は請求項２に記載の方法によって所定の情報が付加されたディジタルデータから付加情報を検出するステップと、
前記ステップによって検出された付加情報を抽出するステップと、
からなる情報抽出方法。
【請求項６】
請求項１又は請求項２に記載の方法によって所定の情報が付加されたディジタルデータから付加情報を検出する検出手段と、
前記検出手段によって検出された付加情報を抽出する手段と、
からなる情報抽出装置。
【請求項７】
請求項１又は請求項２に記載の方法によって所定の情報が付加されたディジタルデータを伝送する、及び／又は受信する手段を有する伝送装置。
【請求項８】
請求項１又は請求項２に記載の方法によって所定の情報が記録された記録媒体。
【発明の詳細な説明】
【０００１】
【発明の属する技術分野】
本発明は情報付加方法、情報付加装置、再生方法、再生装置、伝送装置および記録媒体に関し、特にディジタルデータに所定の情報を付加する情報付加方法、情報付加装置、及び情報が付加されたディジタルデータから付加情報を検出して抽出する抽出方法、抽出装置、その伝送装置ならびに記録媒体に関するものである。
【０００２】
【従来の技術】
従来、例えば特開平１２−２８７０６７号公報に開示されているように、ディジタル化された画像データや音声データに関して、当該ディジタルデータに関連する情報を当該ディジタルデータに付加する情報付加装置ならびに当該ディジタルデータと当該ディジタルデータに付加された情報を読み出すデータ再生装置が知られている。
【０００３】
【発明が解決しようとする課題】
しかしながら、従来の装置においては画像データや音声データに関連する新たな付加情報を、先に付加された情報に加えて、多重に情報を付加しようとするとすると、先に付加された情報を消去してしまうという問題があった。これは新たな情報を付加することにより、先に付加された情報が除去されてしまうためである。
【０００４】
【課題を解決するための手段】
そこで本発明は、対象となるディジタルデータから、互いに干渉しないディジタルデータの部分集合を取り出すステップと、これらディジタルデータの少なくとも一つの部分集合に、所定の情報の付加を行うステップとからなる情報付加方法を用いて所定の情報が付加されたディジタルデータと、前記所定の情報が付加される前のディジタルデータとをデータ部分集合ごとに比較するステップと、前記ステップによって比較したデータ部分集合に相違がない、あるいは相違が軽微であるデータ部分集合に所定の情報を付加するステップと、からなる情報付加方法を提供する。
【０００５】
また、対象となるディジタルデータから、互いに干渉しないディジタルデータの部分集合を取り出すステップと、前記ディジタルデータの部分集合の少なくとも一つの部分集合に、所定の情報の付加を行うステップとからなる情報付加方法を用いて所定の情報が付加されたディジタルデータと情報が埋め込まれる前のディジタルデータをデータ部分集合ごとに比較するステップと、比較したデータ部分集合に相違がないデータ部分集合に所定の情報を付加するステップからなる情報付加方法を提供する。
【０００６】
更に、所定の情報を対象となるディジタルデータに付加する場合に、対象となるデータから、互いに干渉しないディジタルデータのデータの部分集合を取り出す手段と、これらデータの部分集合ごとに情報の付加を行う手段とからなる情報付加装置を用いて、情報が付加されたディジタルデータと情報が付加される前のディジタルデータとをデータ部分集合ごとに比較する比較手段と、前記比較手段によって比較したデータ部分集合に相違がない、あるいは相違が軽微であるデータ部分集合に所定の情報を付加する手段と、からなる情報付加装置を提供する。
【０００７】
また、所定の情報を対象となるディジタルデータに付加する場合に、対象となるディジタルデータから、互いに干渉しないディジタルデータのデータの部分集合を取り出す手段と、これらデータの部分集合ごとに情報の付加を行う手段とからなる情報付加装置を用いて、情報が付加されたディジタルデータと情報が埋め込まれる前のディジタルデータをデータ部分集合ごとに比較する手段と、相違がないデータ部分集合に所定の情報を付加する手段からなる情報付加装置を提供する。
【０００８】
更に、所定の情報が付加されたディジタルデータから付加情報を検出するステップと、検出された付加情報を抽出するステップとからなる情報抽出方法を提供する。
【０００９】
また、情報が付加されたディジタルデータから付加情報を検出する手段と、検出された付加情報を抽出する手段とからなる情報抽出装置を提供する。
【００１０】
更に、情報が付加されたディジタルデータを伝送し、および／または受信する手段を有する伝送装置を提供する。
【００１１】
また、所定情報が所定の方式により記録された記録媒体を提供する。
【００１２】
【発明の実施の形態】
本発明の実施の形態について図面を参照しながら説明する。本発明の実施の形態に係る情報付加装置は、ディジタルデータを互いに干渉しない複数の部分集合に分割し、これら部分集合に独立に所定の付加情報を付加することにより、ディジタルデータに所定の付加情報を多重に付加することができるものであり、本発明の実施の形態に係る付加情報抽出装置は付加された所定の付加情報を抽出することができるものである。
【００１３】
図１は、本発明の第一の実施の形態に係る情報付加装置１の構成ブロック図である。図１に示すように、本発明の情報付加装置１はデータ入力手段２と、データ分割手段３と、データメモリ手段４と、情報付加手段５と、データ結合手段６と、データ出力手段７とから構成されている。
【００１４】
データ入力手段２は、所定の情報１４を付加する対象となるディジタルデータ１１を情報付加装置１に入力するものである。データ分割手段３は、入力されたディジタルデータ１１を互いに干渉しないデータ部分集合に分割するものである。データメモリ手段４は、分割したデータ部分集合をそれぞれ区別可能な状態にメモリするものである。情報付加手段５は、分割したデータ部分集合をそれぞれ区別して所定の情報１４を付加するものである。データ結合手段６は、分割されているデータ部分集合を結合して、所定の情報１４が付加されたディジタルデータ２２にするものである。データ出力手段７は、所定の情報が付加されたディジタルデータ２２を記録媒体１７あるいは伝送部１８を介してネットワーク１９に出力するものである。
【００１５】
データ分割手段３と、データメモリ手段４について図２を用いて説明する。図２に示すように、所定の情報１４を付加する対象となるディジタルデータ１１を情報付加装置１のディジタルデータ分割手段３を用いて互いに干渉しないデータ部分集合１３−１〜１３−ｎに分割する。分割されたデータ部分集合１３−１〜１３−ｎの集まりをディジタルデータ１３Ａとしてデータメモリ手段を用いてメモリする。なお、互いに干渉しないデータ部分集合の一例として、ディジタルオーディオの全てのサンプリングデータの下位１ビットからなるデータ部分集合と、下位２ビットからなるデータ部分集合がある。
【００１６】
第一の所定の情報１４ａをディジタルデータ１３Ａに付加する方法について図２を用いて説明する。図２に示すように、データメモリ手段４によりメモリされたデータ部分集合１３−１〜１３−ｎのうちのひとつ、例えばデータ部分集合１３−２を情報付加手段５を用いて選択し、情報付加手段５により第一の所定の情報１４ａをデータ部分集合１３−２に付加する。データ部分集合１３−２に第一の所定の情報１４ａが付加されたデータ部分集合を１３−２ａとする。このときのデータ部分集合１３−１、１３−２ａ〜１３−ｎの集まりをディジタルデータ１３Ｂとする。このとき、情報付加手段５は、情報付加手段５によりデータ部分集合１３−２が選択され、第一の所定の情報１４ｂがデータ部分集合１３−２に付加されたことを識別する情報付加データ部分集合識別情報１６を記憶しておく。
【００１７】
次に、続けて第二の所定の情報１４ｂを付加する方法について図２を用いて説明する。このときに、第一の所定の情報１４ａを付加したデータ部分集合１３−２ａに誤って第二の所定の情報１４ｂを付加し、第一の所定の情報１４ａを消去しないために、先ず、情報付加手段５は、情報付加データ部分集合識別情報１６から、第一の所定の情報１４ａを付加したデータ部分集合１３−２ａを識別する。その識別をもとに、既に付加したデータ部分集合１３−２ａとは異なるデータ部分集合、例えばデータ部分集合１３−４を選択して情報付加手段５により第二の所定の情報１４ｂを付加する。
【００１８】
データ部分集合１３−４に第二の所定の情報１４ｂが付加されたデータ部分集合を１３−４ｂとする。このときのデータ部分集合１３−１、１３−２ａ〜１３−４ｂ〜１３−ｎの集まりをディジタルデータ１３Ｃとする。
【００１９】
こうしてディジタルデータ１３Ａは、先ず第一の所定の情報１４ａを付加したディジタルデータ１３Ｂになり、次に第一の所定の情報１４ａと第二の所定の情報１４ｂを付加したディジタルデータ１３Ｃになる。
【００２０】
これ以上、所定の情報の付加がない場合は、ディジタルデータ１３Ｃが最終のディジタルデータとなり、データ結合手段６によって結合され、第一の付加情報１４ａと第二の付加情報１４ｂが付加されたディジタルデータ２２として、記録媒体１７に記録される。あるいは、伝送部１８を介してネットワーク１９へ伝送される。
【００２１】
なお、情報付加データ部分集合識別情報１６は、情報付加装置の情報付加手段５に記憶されるだけでなく、情報付加装置とは別体の外部の装置に記憶し必要に応じて、情報付加装置１に情報付加データ部分集合識別情報１６を与えてもよい。
【００２２】
図３は、本発明の第一の実施の形態に係る情報付加方法のフローチャートである。図３に示すように、情報付加方法は、情報付加装置にディジタルデータを入力するステップＳ１と、ディジタルデータを分割するステップＳ２と、ディジタルデータの部分集合を取り出すステップＳ３と、ディジタルデータの一つの部分集合に所定の情報の付加を行うステップＳ４と、所定の情報を付加された部分集合を識別し、情報が付加されていない部分集合に情報を付加するステップＳ６と、情報を付加し終えた部分集合を結合するステップＳ７と、情報が付加されたディジタルデータを出力するステップＳ８からなる情報付加方法である。
【００２３】
図４は本発明の第一の実施の形態に係る付加情報抽出装置２４の構成ブロック図である。図４に示すように、データ入力手段８と、データ分割手段９と、データメモリ手段１０と、付加情報抽出手段２５と、付加情報復号手段２６と、付加情報出力手段２７とから構成されている。
【００２４】
データ入力手段８は、所定の情報が付加されたディジタルデータ２２を例えばＤＶＤ１７ａやＳＤメモリカード１７ｂのような記録媒体１７、あるいはネットワーク１９から受信部２３を介し付加情報抽出装置２４に入力するものである。データ分割手段９は所定の情報が付加されたディジタルデータ２２を情報付加装置１のデータ分割手段３で分割されたデータ部分集合と同じデータ部分集合に分割するものである。データメモリ手段１０は、分割したデータ部分集合をそれぞれ区別可能にメモリするものである。付加情報抽出手段２５は分割したデータ部分集合の中の所定の情報を抽出するものである。付加情報復号手段２６は、データ部分集合から抽出した所定の情報を、もとの所定の情報１４に復号するものである。付加情報出力手段２７は抽出して復号した所定の情報を出力するものである。
【００２５】
図５は、本発明の第一の実施の形態に係る付加情報抽出方法のフローチャートである。図５に示すように、付加情報抽出方法は、付加情報抽出装置に情報が付加されたディジタルデータを入力するステップＳ９と、情報が付加されたディジタルデータを分割するステップＳ１０と、付加情報を抽出するステップＳ１１と、抽出した付加情報を復号するステップＳ１２と、復号され付加情報を出力するステップＳ１３からなる付加情報抽出方法である。
【００２６】
付加された所定の情報は、例えばコンテンツの著作権を確定するためのコピー等の複製許諾管理であり、地域コード、再生有効期間、再生回数管理等である。コンテンツの部分集合に視覚的あるいは聴覚的に実用上影響を与えない程度の、所定のビット数からなる符号化データの各部分を１つの集合とするような情報である。画像データであれば色別（赤色、緑色、青色）画素構成信号の下位ビットに分けた部分集合情報である。音声データであればサンプリング符号化データに限らず電子楽器用の音符データを構成する音の高さ、長さ、強さの各部分を１つの集合とするような情報でも良い。
【００２７】
記録媒体としては、例えばＳＤメモリカード規格に基づいて記録するＳＤメモリカード１７ｂ、あるいはＤＶＤ規格で記録するＤＶＤディスク１７ａ等である。なお、上記所定の情報や記録媒体はこれに限定されるものではない。
【００２８】
次に、本発明の第二の実施の形態について図面を参照しながら説明する。本発明の第二の実施の形態に係る情報付加方法は、複数の所定の情報をそれぞれ必要に応じて異なる時期に付加する、あるいはそれぞれ別の情報付加装置によって付加する方法である。
【００２９】
第一の所定の情報１４ａをディジタルデータ１３Ａに付加する方法について図６を用いて説明する。図６に示すように、データメモリ手段４によりメモリされたデータ部分集合１３−１〜１３−ｎのうちのひとつ、例えばデータ部分集合１３−２を情報付加手段５を用いて選択し、情報付加手段５により第一の所定の情報１４ａをデータ部分集合１３−２に付加する。データ部分集合１３−２に第一の所定の情報１４ａが付加されたデータ部分集合を１３−２ａとする。このときのデータ部分集合１３−１、１３−２ｂ〜１３−ｎの集まりをディジタルデータ１３Ｂとする。第一の所定の情報１４ａが付加されたディジタルデータ１３Ｂはデータ結合手段６によって結合され、第一の情報１４ａが付加されたディジタルデータ２１として、記録媒体１７に記録される。あるいは、伝送部１８を介してネットワーク１９へ伝送される。
【００３０】
このとき、情報付加手段５は、情報付加手段５によりデータ部分集合１３−２が選択され、第一の所定の情報１４ｂがデータ部分集合１３−２に付加されたことを識別する情報付加データ部分集合識別情報２８を記憶しておく。
【００３１】
情報付加対象となるディジタルデータ３１は情報付加装置３２に入力される。ここで情報付加装置３２は第一の実施の形態で示した情報付加手段１５を有する情報付加装置１と同様の構成を有している。ディジタルデータ３１は第一の実施の形態と同様に、データ部分集合３７−１〜ｎに分けられる。このデータ部分集合３７−１〜ｎの集まりをディジタルデータ３７Ａとする。
【００３２】
情報付加手段１５により、第一の所定の付加情報１４ａがディジタルデータ３１Ａに付加され、ディジタルデータ３１Ａはディジタルデータ３３Ｂになる。ディジタルデータ３１Ａとディジタルデータ３３Ｂは情報付加装置３２のデータ抽出部３５に入力されデータ付加部分識別情報３６を得る。
【００３３】
次に、第二の所定の情報１４ｂを必要に応じて、異なる時期に付加する、あるいは別の情報付加装置によって付加する場合の方法について図８と図７を用いて説明する。このときに、第一の所定の情報１４ａを付加したデータ部分集合１３−２ａに誤って第二の所定の情報１４ｂを付加し、第一の所定の情報１４ａを消去しないために、先ず、情報付加手段５は、情報付加データ部分集合識別情報２８を求める。図７に情報付加データ部分集合識別情報２８を求める方法を示す。所定の情報を付加する対象となるディジタルデータ１１を情報付加装置１のディジタルデータ分割手段３を用いて互いに干渉しないデータ部分集合１３−１〜１３−ｎに分割する。分割されたデータ部分集合１３−１〜１３−ｎの集まりをディジタルデータ１３Ａとしてデータメモリ手段を用いてメモリする。同様に、第一の所定の情報を付加したディジタルデータ２１を情報付加装置１のディジタルデータ分割手段３を用いて互いにデータ部分集合１３−１、１３−２ａ〜１３−ｎに分割する。分割されたデータ部分集合１３−１、１３−２ａ〜１３−ｎの集まりであるディジタルデータ１３Ｂをデータメモリ手段を用いてメモリする。
【００３４】
ディジタルデータ１３Ａとディジタルデータ１３Ｂをデータ解析装置１５を用いてそれぞれのデータ部分集合を比較する。そして、ディジタルデータ１３Ａと異なった、第一の所定の情報１４ａを付加したデータ部分集合１３−２ａを識別する。その識別をもとに、情報付加データ部分集合識別情報２８を求める。
【００３５】
図８に示すように、既に付加したデータ部分集合１３−２ａとは異なるデータ部分集合、例えばデータ部分集合１３−４を選択して情報付加手段５により第二の所定の情報１４ｂを付加する。データ部分集合１３−４に第二の所定の情報１４ｂが付加されたデータ部分集合を１３−４ｂとする。このときのデータ部分集合１３−１、１３−２ａ〜１３−４ｂ〜１３−ｎの集まりをディジタルデータ１３Ｃとする。
【００３６】
こうして新たに、第二の所定の情報１４ｂを付加したディジタルデータ１３Ｃになる。ディジタルデータ１３Ｃが、データ結合手段６によって結合され、第一の付加情報１４ａと第二の付加情報１４ｂが付加されたディジタルデータ２２として、記録媒体１７に記録される。あるいは、伝送部１８を介してネットワーク１９へ伝送される。
【００３７】
なお、データ解析装置１５は情報付加装置１と一体になっていても、情報付加装置１とは別体の外部の装置出会っても良い。また、情報付加データ部分集合識別情報２８は、情報付加装置の情報付加手段５に記憶されるだけでなく、情報付加装置１とは別体の外部の装置に記憶し必要に応じて、情報付加装置１に情報付加データ部分集合識別情報２８を与えてもよい。
【００３８】
付加情報抽出装置と付加情報抽出手段については第一の実施の形態に係る付加情報抽出装置と付加情報抽出手段と同じであるので説明は省略する。
【００３９】
【発明の効果】
情報付加対象となるディジタルデータに独立して情報を付加することができるようになり、情報付加装置が先に付加した情報を上書きするという危険がなくなるるため、多重に情報を付加することが可能になる。
【図面の簡単な説明】
【図１】本発明の実施の形態に係る情報付加装置の構成ブロック図である。
【図２】本発明の実施の形態に係るデータ分割手段の説明図である。
【図３】本発明の実施の形態に係る情報付加方法のフローチャートである。
【図４】本発明の実施の形態に係る付加情報抽出装置の構成ブロック図である。
【図５】本発明の実施の形態に係る付加情報抽出方法のフローチャートである。
【図６】本発明の実施の形態に係る所定の情報を付加する方法の説明図である。
【図７】本発明の実施の形態に係る所定の情報を付加する方法の説明図である。
【図８】本発明の実施の形態に係る所定の情報を付加する方法の説明図である。
【符号の説明】
１    情報付加装置
２    データ入力手段
３    データ分割手段
４    データメモリ手段
５    情報付加手段
６    データ結合手段
７    データ出力手段
８    データ入力手段
９    データ分割手段
１０    データメモリ手段
１１    所定の情報を付加する対象となるディジタルデータ
１２    ディジタルデータ分割部
１３    データ部分集合
１４    所定の情報
１５    データ解析装置
１６    情報付加部分識別情報
１７    記録媒体
１８    伝送部
１９    ネットワーク
２１    第一の所定の情報が付加されたディジタルデータ
２２    所定の情報が付加されたディジタルデータ
２３    受信部
２４    付加情報抽出装置
２５    付加情報抽出手段
２６    付加情報復号手段
２７    付加情報出力手段
２８    情報付加データ部分集合識別情報
３１    ディジタルデータ
３２    情報付加装置
３３    ディジタルデータ
３４    情報付加装置
３５    データ抽出装置
３６    データ付加部分識別情報
３７    データ部分集合
【図１】
0003925777.tif 000002
【図２】
0003925777.tif 000003
【図３】
0003925777.tif 000004
【図４】
0003925777.tif 000005
【図５】
0003925777.tif 000006
【図６】
0003925777.tif 000007
【図７】
0003925777.tif 000008
【図８】
0003925777.tif 000009